(57)【要約】【課題】複数のサブコアを持つアンテナを提供する。【解決手段】本発明は、磁性コア（１）と、磁性コア（１）の周りに巻かれたコイル（２）を備えたアンテナである。磁性コア（１）は、少なくとも２つの第１サブコア（１．１）と少なくとも１つの第２サブコア（１．２）を持ち、少なくとも２つの第１サブコア（１．１）は、磁性コア（１）の縦方向（８）に前後に配置され、少なくとも２つの第１サブコア（１．１）のそれぞれは、側面を有し、少なくとも２つの第１サブコア（１．１）第１の第１サブコア（１．１）及び第２の第１サブコア（１．１）を有し、第１の第２サブコア（１．２）は、第１の第２サブコア（１．２）が第１の第１サブコア（１．１）と少なくとも部分的にかつ第２の第１サブコア（１．１）と少なくとも部分的に重なり、第１の第１サブコア（１．１）の側面と第２の第１サブコア（１．１）の側面に配置される。【選択図】図８
2020178342.tif 000002
【特許請求の範囲】
【請求項１】
磁性コア（１）と、磁性コア（１）の周囲に巻かれたコイル（２）とを備えたアンテナであり、磁性コア（１）は少なくとも２つの第１サブコア（１．１）を有し、少なくとも２つの第１サブコア（１．１）は、磁性コア（１）の長手方向（８）において互いに前後に配置され、少なくとも２つの第１サブコア（１．１）のそれぞれは側面を持ち、少なくとも２つの第１サブコア（１．１）は第１の第１サブコア（１．１）と第２の第１サブコア（１．１）とを備える当該アンテナにおいて、
磁性コア（１）は少なくとも１つの第２サブコア（１．２）を備え、少なくとも１つの第２サブコア（１．２）は第１の第２サブコア（１．２）を備え、第１の第２サブコア（１．２）は、第１の第２サブコア（１．２）が第１の第１サブコア（１．１）と少なくとも部分的にかつ第２の第１サブコア（１．１）と少なくとも部分的に重なり、第１の第１サブコア（１．１）の側面と第２の第１サブコア（１．１）の側面に配置されるので、第１の第２サブコア（１．２）は、第１の第１サブコア（１．１）から第２の第１サブコア（１．１）への磁気ブリッジを形成している
ことを特徴とする、アンテナ。
【請求項２】
第１の第１サブコア（１．１）の側面は平面を形成し、第２の第１サブコア（１．１）の側面は平面を形成し、第１の第２サブコア（１．２）は平面を形成する側面を有し、第１の第２サブコア（１．２）の側面は、第１の第１サブコア（１．１）の側面と、第２の第１サブコア（１．１）の側面とに載っている、請求項１に記載のアンテナ。
【請求項３】
第１の第１サブコア（１．１）の側面は、コアの長手方向（７）に平行に配置されていていることと、
第２の第１サブコア（１．１）の側面は、コアの長手方向（７）に平行に配置されていることと、
第１の第２サブコア（１．２）の側面は、コアの長手方向（７）に平行に配置されていることと、
の少なくともいずれかである、請求項１又は２に記載のアンテナ。
【請求項４】
第１の第１サブコア（１．１）の長手軸線と、第２の第１サブコア（１．１）の長手軸線との少なくとも一方は、第１の第２サブコア（１．２）の長手軸線に平行に配置されている、請求項１から３のいずれか一項に記載のアンテナ。
【請求項５】
第１の第１サブコア（１．１）及び第２の第１サブコア（１．１）は、第１の第１サブコア（１．１）の長手軸線が第２の第１サブコア（１．１）の長手軸線の延長となるように互いに前後に配置されている、請求項１から４のいずれか一項に記載のアンテナ。
【請求項６】
少なくとも２つの第１サブコア（１．１）は第１平面に配置され、少なくとも１つの第２サブコア（１．２）は第２平面に配置され、第２平面は好ましくは第１平面に平行である、請求項１から５のいずれか一項に記載のアンテナ。
【請求項７】
第１の第１サブコア（１．１）は長方形の断面を有することと、第２の第１サブコア（１．１）は長方形の断面を有することとの少なくとも一方であって、
第１の第２サブコアは長方形の断面を有し、
磁性コア（１）は、第１の第１サブコア（１．１）は第１の第２サブコア（１．２）と重なる領域で再び長方形の断面を形成していることと、
磁性コア（１）は、第２の第１サブコア（１．１）が第１の第２サブコア（１．２）と重なる領域で再び長方形の断面を形成していることとの少なくとも一方である、請求項１から６のいずれか一項に記載のアンテナ。
【請求項８】
少なくとも２つの第１サブコア（１．１）が第３の第１サブコア（１．１）を備え、少なくとも１つの第２サブコア（１．２）が第２の第２サブコア（１．２）を備え、この第２の第２サブコアは、第２の第２サブコア（１．２）が少なくとも部分的に第２の第１サブコア（１．１）及び少なくとも部分的に第３の第１サブコア（１．１）と重なるよう、第２の第１サブコア（１．１）の側面と第３の第１サブコア（１．１）の側面に配置される請求項１から７のいずれか一項に記載のアンテナ。
【請求項９】
コア支持体（４）を有し、少なくとも２つの第１サブコア（１．１）及び少なくとも１つの第２サブコア（１．２）がコア支持体（４）に保持されている、請求項３から６のいずれか一項に記載のアンテナ。
【請求項１０】
コイル（２）がコア支持体（４）に巻回されている、請求項９に記載のアンテナ。
【請求項１１】
コア支持体（４）と、コア支持体（４）の周りのコイル（２）とは、コイル（２）の巻線が少なくとも１つの第２サブコア（１．２）を少なくとも２つの第１サブコア（１．１）の側面に押し付けるように形成されている、請求項１０に記載のアンテナ。
【請求項１２】
コア支持体（４）が磁性コア（１）の長さの少なくとも８０％にわたって延在することと、コイル（２）が磁性コア（１）の長さの８０％超にわたって延在するようにコイル（２）がコア支持体に巻かれることとの少なくとも一方である、請求項１から１１のいずれか一項に記載のアンテナ。
【請求項１３】
ハウジング（３）と注入物質（５）とを備え、コイル（２）を備える磁性コア（１）は、ハウジング（３）内に配置され、注入物質（５）でハウジング（３）内に注入され、注入物質（５）は６０ショアＡより柔らかいか、好ましくは４０ショアＡよりも柔らかい、請求項１から１２のいずれか一項に記載のアンテナ。
【請求項１４】
請求項１から１３のいずれか一項に記載のアンテナを備える車両であって、アンテナは、車両を開けることと、始動することとの少なくともいずれかのためのキーデータの送信用に構成されている、車両。
【請求項１５】
磁性コア（１）を配置するステップと、
磁性コア（１）にコイルを巻き付けるステップとを備えるアンテナの製造方法であって、
磁性コア（１）は、少なくとも２つの第１のサブコア（１．）を備え、磁性コア（１）を配置するステップは、少なくとも２つのサブコア（１．１）を磁性コア（１）コア（１）の長手方向（８）において前後に配置することを含み、少なくとも２つの第１コア（１．１）は、第１の第１サブコア（１．１）と第２の第１サブコア（１．１）を備える、当該製造方法において、
磁気コア（１）は少なくとも１つの第２サブコア（１．２）を備え、少なくとも１つの第２サブコア（１．２）は第１第２サブコア（１．２）を備え、
磁気コア（１）を配置するステップは、第１の第２サブコア（１．２）を配置するステップを有し、このステップで、第１の第２サブコア（１．２）が少なくとも部分的に第１の第１サブコア（１．１）と少なくとも部分的に第２の第１サブコア（１．１）と重なるよう、第１の第２サブコア（１．２）は第１の第１サブコア（１．１）の側面と第２の第１サブコア（１．１）の側面に配置されるので、第１の第２サブコア（１．２）は、第１の第１サブコア（１．１）から第２の第１サブコア（１．１）への磁気ブリッジを形成する、
ことを特徴とする、アンテナの製造方法。
【発明の詳細な説明】
【技術分野】
【０００１】
本発明は、アンテナに関し、特に、車両を開くことと、始動することとの少なくとも一方のキーデータの送信のために形成されて、車両で使用するためのアンテナに関する。
【背景技術】
【０００２】
アンテナは通常、コアとコイルで構成されている。送信周波数と帯域幅に応じて、コアとコイルを適切に形成する必要がある。アンテナの帯域幅は広くなっている。ＵＷＢアンテナの場合、アンテナの範囲は拡大している。これは、例えば、コアがますます長くなっていることを意味する。また、長いコアは短いコアよりも破損しやすく、製造コストが高くなる。
【０００３】
したがって、特許文献１、特許文献２、特許文献３から、例えば、上下に配置された複数の下側コアによってコアを形成することが知られている。これには、個々のサブコアの製造が容易であり、サブコアの破損しやすさが低下するという有利点がある。しかし、複数のサブコアから形成されたコアの磁気特性は、衝撃や温度変動の影響を非常に受けやすく、これらのアンテナにはアンテナ特性の安定性に問題があることが多いことが示されてしまった。
サブコアは、間隔をあけて、又は接触して、前後に配置される。サブコアが接触すると、磁気特性はサブコア間の接触圧力で変動し、温度や振動に応じて変動する。サブコアの間隔が空いている場合、間隔は温度又は外力に応じて変化することが多く、コアの電気的特性、したがってアンテナの電気的特性に悪影響を及ぼす。したがって、複数のサブコアを備えた高品質のアンテナを実装することは、まだ可能となっていない。
【先行技術文献】
【特許文献】
【０００４】
【特許文献１】米国特許第１００５６６８７号明細書
【特許文献２】欧州特許出願公開第１３９７８４５号明細書
【特許文献３】米国特許出願公開第２０１８／１５９２２４号明細書
【発明の概要】
【発明が解決しようとする課題】
【０００５】
本発明の課題は、堅牢で、製造が簡単で、良好で安定したアンテナ特性を有するアンテナを見出すことである。
【課題を解決するための手段】
【０００６】
本発明によれば、この課題は、独立請求項に記載のアンテナ及びそのようなアンテナの製造方法により達成される。
【０００７】
少なくとも２つの第１サブコアのうちの２つと横方向に重なり合う少なくとも１つの第２サブコアの使用により、接触点又は第１サブコア間の隙間の磁気ブリッジングが可能になる。これにより、コアは接触圧力又は第１サブコア間の隙間のサイズに依存せず、温度変動や振動、その他の外部の影響に依存しない。同時に、コアは複数のサブコアから形成してよく、これは生産を簡素化し、コアの破壊に対する安定性に有利である。
【０００８】
さらなる有利な実施例は、従属請求項に明記される。
【０００９】
本発明は、添付の図面を参照してより詳細に説明される。
【図面の簡単な説明】
【００１０】
【図１】本発明の第１の実施例によるアンテナの第１の側面図である。
【図２】本発明の第１の実施例によるアンテナの第２の側面図である。
【図３】本発明の第１の実施例に係るアンテナのＡ−Ａ線に沿った断面図である。
【図４】本発明の第１の実施例に係るアンテナのＢ−Ｂ線に沿った断面図である。
【図５】本発明の第１の実施例に係るアンテナのＣ−Ｃ線に沿った断面図である。
【図６】本発明の第１の実施例に係るアンテナのＤ−Ｄ線に沿った断面図である。
【図７】本発明の第１の実施例に係るアンテナのＥ−Ｅ線に沿った断面図である。
【図８】ハーフカットしたハウジング及び封入材を備えた本発明の第２の実施例によるアンテナの立体図である。
【図９】本発明の第２の実施例によるアンテナの第１の側面図である。
【図１０】本発明の第２の実施例に係るアンテナのＢ−Ｂ線に沿った断面図である。
【図１１】本発明の第２の実施例に係るアンテナのＡ−Ａ線に沿った断面図である。
【図１２】本発明の第２の実施例に係るアンテナのＣ−Ｃ線に沿った断面図である。
【図１３】本発明の第２の実施例に係るアンテナのＤ−Ｄ線に沿った断面図である。
【発明を実施するための形態】
【００１１】
図１から図７は、本発明の第１実施例を示す。図８から図１３は、本発明の第２実施例を示す。両方の実施例を以下に一緒に説明する。第１及び第２の実施例が１つの特徴において異なる場合、これは明示的に言及される。そうでなければ、説明された全ての特徴は両方の実施例に適用される。
【００１２】
以下の説明では、第１の方向７、第２の方向８及び第３の方向９の３つの直交する方向が使用される。第１の方向７は、好ましくは第２の方向８及び第３の方向９に直交する。第２方向８は、好ましくは第１方向７及び第３方向９に直交する。第３の方向９は、好ましくは第１の方向７及び第２の方向８に直交する。
【００１３】
アンテナはコア１とコイル２とを備える。アンテナは、好ましくはさらに、ハウジング３と、コア支持体４と、注入物質５とを備える。
【００１４】
コア１は磁性コアである。コア１は磁性材料で作られている。磁性材料とは、その材料が常磁性又は強磁性、好ましくは強磁性であることを意味する。コア１は、好ましくは、フェライト材料（フェライト材料）又は粉末材料（粉末コア）でできている。磁性コア１は、好ましくは、剛性のある磁性材料で作られていて、すなわち磁性コア１は弾性的でも柔軟でもない。
【００１５】
コア１は、好ましくは、第１の方向７に沿って延在する。したがって、第１の方向は、コア１の長手方向７ともいう。したがって、コア１の長手方向軸線は、第１の方向７に延在する。コア１は、好ましくは、第２の方向８及び第３の方向９よりも長手方向７において長い。一実施例においてコア１は、第２の方向８（幅）第３の方向９（厚さ又は高さ）よりも大きい。別の実施例において、コア１は、第２の方向８及び第３の方向において同じサイズである。
【００１６】
本発明によれば、コア１は少なくとも２つの第１サブコア１．１と少なくとも１つの第２サブコア１．２を有する。第１の実施例では、コア１は、５つの第１サブコア１．１及び４つの第２サブコア１．２を有する。第２の実施例では、コア１は、４つの第１サブコア１．１及び３つの第２サブコア１．２を有する。しかし、その数は任意であり、コア１の長さ及びサブコア１．１、１．２の長さに応じて、必要に応じて変えてよい。コア１は、好ましくは、ｎ個の第１サブコア１．１及びｎ−１又はｎ個の第２サブコア１．２を有し、ここでｎは２以上である。
【００１７】
前述のコア１の磁性材料は、サブコア１．１、１．２の磁性材料に対応する。サブコア１．１、１．２の全てが、好ましくは同じ磁性材料を含有する。しかしながら、異なるサブコア１．１、１．２で異なる磁性材料を使用してもよい。
【００１８】
第１サブコア１．１は、長手方向７に延在する長手軸線を有する。第１サブコア１．１は、好ましくは、第２の方向８及び／又は第３の方向９よりも長手方向７に長い。第１サブコア１．１は、好ましくは側面を有する。側面は、好ましくは、長手方向７に平行に配置される。第１サブコア１．１の側面の正規直交ベクトルは、好ましくは、第２の方向８又は第３の方向９に平行である。側面は、好ましくは平坦な表面を形成する。第１サブコア１．１は、好ましくは、第１の軸方向側面と、第１の軸方向側面の反対側の第２の軸方向側面とを有する。第１及び／又は第２の軸方向側面は、好ましくは、それぞれの第１サブコア１．１の側面又は長手軸線７に対して直角である。第１及び第２の軸方向側部は、好ましくは互いに平行に配置される。第１及び／又は第２の軸方向側面は、好ましくは平坦な表面を形成する。第１サブコア１．１は、好ましくは、各々が長方形の断面を有する。全ての第１サブコア１．１の側面は、好ましくは同一に形成されたものである。しかしながら、三角形、半円形等ほかの断面形状が着想可能である。第１サブコア１．１の断面形状は、好ましくは、第１サブコア１．１の長手方向７に沿って一定や同一である。全ての第１サブコア１．１は、好ましくは同じ断面形状を有する。第１サブコア１．１の断面形状は、長手方向７に垂直な断面として定義される。好ましくは、第１サブコア１．１は直方体である、すなわち、互いに直角に配置された６つの側面で形成される。全ての第１サブコア１．１は、好ましくは同じ形状により形成されている。
【００１９】
第２サブコア１．２は、長手方向７に延在する長手軸を有する。第２サブコア１．２は、好ましくは、第２の方向８及び／又は第３の方向９よりも長手方向７に長い。第２サブコア１．２は、好ましくは側面を有する。側面は、好ましくは、長手方向７に平行に、及び／又は第１サブコア１．１の平行側面に平行に配置される。第２サブコア１．２の外側の正規直交ベクトルは、第２の方向８又は第３の方向９又は第１サブコア１．１の外側の正規直交ベクトルに平行であることが好ましい。第２サブコア１．２の側面の形状は、好ましくは、第１サブコア１．１の側面の形状に対応するので、第２サブコア１．２の側面は、第１サブコア１．１の側面に（全面にわたって）載置可能となる。側面は、好ましくは平坦な表面を形成する。第２サブコア１．２は、好ましくは、第１の軸方向側面と、第１の軸方向側面の反対側の第２の軸方向側面とを有する。第１及び／又は第２の軸方向側面は、好ましくは、それぞれの第２サブコア１．２の側面又は長手軸線７に対して垂直である。第１及び第２の軸方向側部は、好ましくは互いに平行に配置される。第１及び／又は第２の軸方向側面は、好ましくは平坦な表面を形成する。第２サブコア１．２は、好ましくは、それぞれ長方形の断面を有する。全ての第２サブコア１．２の側面は、好ましくは同一の形成がなされている。しかしながら、三角形、半円形等ほかの断面形状が着想可能である。第２サブコア１．２は、好ましくは、第１サブコア１．１と同じ断面形状を有する。第２サブコア１．２の断面形状は、サブコア１．２の長手方向７に沿って一定や同一であることが好ましい。第２サブコア１．２の全ては、好ましくは同じ断面形状を有する。第２サブコア１．２の断面形状は、長手方向７に垂直な断面として定義される。好ましくは、第２サブコア１．２は直方体である。互いに直角に配置された６つの側面で形成される。第２サブコア１．２は好ましくは、全て同じ形状である。第２サブコア１．２は、好ましくは、第１サブコア１．１のような形状である（第１の実施例を参照）。しかしながら、第１及び第２サブコア１．１、１．２の形状が異なってもよい（第１及び第２サブコア１．１、１．２の長さが異なる第２の実施例を参照）。第２サブコア１．２は、好ましくは第１サブコア１．１と同一である。これにより、同じサブコアを第１サブコア１．１と第２サブコア１．２に使用してもよい。しかしながら、第１サブコア１．１と第２サブコア１．２に異なるサブコアを使用することにも有利点はある。そのように、異なる磁性材料を使用してもよいだろう。第２のサブコア１．２は、第１のサブコア１．１よりも高い透過性を持ってもよい。その結果、高透磁率はブリッジ機能にのみ使用可能である一方、透磁率の低い単純な（及びより安価な）磁性材料が、磁性材料の主要な割合を占める第１サブコア１．１に選択される。ここまで、第２サブコア１．２の大部分について説明した。もちろん、この説明は、第２サブコア１．２のみを備えた実施例にも適用される。
【００２０】
第１サブコア１．１は、好ましくは、長手方向７において前後に配置される。好ましくは、第１サブコア１．１は、前後に、第１サブコア１．１の長手軸線が同軸に配置されるように前後に、すなわち、第１サブコア１．１の長手軸線が、隣り合う第１サブコア１．１のそれぞれの延長部を形成するように、配置される。第１の第１サブコア１．１の第１の軸方向側部は、好ましくは、第２の第１サブコア１．１の第１の軸方向側部の反対側に配置される。第１サブコア１．１は、好ましくは、第１の第１サブコア１．１の第１の軸側が第２の第１サブコア１．１の第１の軸側と完全に重なるように前後に配置される。第１の第１サブコア１．１の軸側は第２の第１サブコア１．１の軸側に重なり、及び／又は第２の第１サブコア１．１の軸側は第１の第１サブコア１．１の軸側に重なる。言い換えると第１サブコア１．１は、長手方向７における隣りの第１サブコア１．１の延長となる。一実施例では、第１サブコア１．１は、第１サブコア１．１の軸方向側部間の距離に配置される。例示的な一実施例では、第１サブコア１．１の軸方向側部は接触して配置される（第１及び第２の実施例を参照）。以下に説明する第２サブコア１．２を通る磁気ブリッジのために、第１サブコア１．１が接触するか、間隔をあけるかは磁気的に重要ではない。したがって、距離は大きくなるように、すなわち材料を節約すべく、選択してもよい。
【００２１】
本発明により、第１の第２サブコア１．２は、第１の第２サブコア１．２の側面が第１の第１サブコア１．１の側面の少なくとも一部と第２の第１サブコア１．１の側面の少なくとも一部と重なるように配置される。これは、長手軸線７に垂直な第１の第２サブコア１．２の第１の第１サブコア１．１への投影が、長手軸線７に垂直な第１の第２サブコア１．２の第２の第１サブコア１．１への投影がこれと交差することを意味する。第１の第２サブコア１．２の側面は、好ましくは、少なくとも最小の重なり長さで第１の第１サブコア１．１の側面と重なり、少なくとも最小の重なり長さで第２の第１サブコア１．１の側面と重なる。最小重なり長は、第１の第１サブコア１．１と、第２の第１サブコア１．１と、第１の第２サブコア１．２との中で（長手方向７における）最短サブコア、好ましくは全サブコア１．１、１．２の中で最短長さの少なくとも１％、好ましくは少なくとも２％である。その結果、直列に接続された２つの第１サブコア１．１の間の接点に磁気ブリッジが形成され、これは２つの第１サブコア１．１間の遷移に対する温度及び外部の影響による変動をなくす。安定性の理由から、しかしながら重なりの長さは、より長い方が好ましい。第１サブコア１．１は好ましくは第１のレベルに配置され、少なくとも１つの第２サブコア１．２は第２のレベルに配置される。第２のレベルは、好ましくは第１のレベルと平行である。一実施例では、第１の平面及び／又は第２の平面は、第２の方向８に垂直である、すなわち第１サブコア１．１及び少なくとも１つの第２サブコア１．２は、第２の方向８に積層される（積層方向が第２の方向８である第２の実施例を参照）。一実施例では、第１の平面及び／又は第２の平面は、第３の方向９に垂直である。すなわち第１サブコア１．１及び少なくとも１つの第２サブコア１．２は、第３の方向９に積層される（積層方向が第３の方向９である第１の実施例を参照）。積み重ね方向は、第２及び第３の方向８及び９の直線的な組み合わせであってもよい。好ましくは、積層方向及び長手方向７に垂直な方向における第１の第２サブコア１．２の投影は、第１の第１サブコア１．１及び／又は第２の第１サブコア１．１と重ならなないことと、第１の第１サブコア１．１の投影は、積層方向に垂直な方向及び第１の第２サブコア１．２でない長手方向７に、重複することとの、少なくとも一方である。第１の実施例ではこれは第２の方向８への投影であり、第２の実施例ではこれは第３の方向９への投影である。しかし、このような重なりがある実施例も考えられる。例えば、２つのＬ字型の断面を互いの上に配置して、２つの積み重ね方向、例えば第２方向８及び第３方向９があるようにしてもよい。この実施例では、第１サブコア１．２及び第２サブコア１．１はそれぞれ、Ｌ字形又はとがった断面を有する。次いで、重なり領域における組み立てられた第１及び第２サブコア１．１及び１．２の断面は、再び長方形の断面をもたらす。第１サブコア１．１及び少なくとも１つの第２サブコア１．２は、好ましくは、第１サブコア１．１及び少なくとも１つの第２サブコア１．２が、長手軸線７に対して直角に積層方向に積み重ねられるように好ましくは形成されてもよいし、単に積み重ねられる。しかしながら、少なくとも１つの第２サブコア１．２を長手方向に挿入し、第１サブコア１．１の長手方向７の軸方向開口部に挿入することも考えられる。しかし、これは製造がかなり複雑であり、破損のリスクにも悪影響を及ぼす。第２サブコア１．２の側面は、好ましくは、第１第１サブコア１．１及び第２第１サブコア１．１の側面に接触する。少なくとも１つの第２サブコア１．２の長手軸線は、少なくとも２つの第１サブコア１．１の長手軸線と平行に配置されることが好ましい。少なくとも１つの第２サブコア１．２の側面は、好ましくは、少なくとも２つの第１サブコア１．１の側面に平行に配置される。少なくとも１つの第２サブコア１．２の１つと少なくとも２つの第１サブコア１．１の１つの重なり領域におけるコア１の断面（長手軸線７に直角）は、好ましくは長方形である。コア１のこの長方形断面は、好ましくは、対応する第１及び第２サブコア１．１及び１．２の長方形断面によって形成される。しかしながら、三角形断面、Ｌ字形断面、又は第１及び第２サブコア１．１及び１．２の他の断面からコア１の長方形断面を形成するようにしてもよい。
【００２２】
コア１が２つ以上の第２サブコア１．２を有する場合、好ましくは、第２サブコア１．２の配置に以下が適用される。この場合、少なくとも第２の第２サブコア１．２がある。第２の第１サブコア１．１は、第２の第１サブコア１．１の側面が第１の第２サブコア１．２の側面の少なくとも一部及び第２の第２サブコア１．２の側面の少なくとも一部と重なるように配置される。これは、長手軸線７に垂直な第２の第１サブコア１．１の第１の第２サブコア１．２への投影がそれと交差し、第２の第１サブコア１．１の長手軸線７に垂直な第２の第２サブコア１．２への投影がこれと交差することを意味する。第２の第１サブコア１．１の側面は、少なくとも最小の重なり長さで第１の第２サブコア１．２の側面と重なり、少なくとも最小の重なり長さで第２の第２サブコア１．２の側面と重なり合うことが好ましい。最小重なり長さは、第２第１サブコア１．１、第１第２サブコア１．２、及び第２第２サブコア１．２の中で最短サブコア（長手方向７）の、好ましくは全サブコア１．１、１．２の（長手方向７における）最短長さの少なくとも１％、好ましくは少なくとも２％である。それにより、直列に接続された２つの第２サブコア１．２間の接触点に磁気ブリッジが形成される。第２サブコア１．２は、好ましくは、長手方向７において前後に配置される。好ましくは、第２サブコア１．２は、第２サブコア１．２の長手軸線が同軸に配置されるように、すなわち前後に配置される。第２サブコア１．２の長手軸線は、隣接する第２サブコア１．２のそれぞれの延長部である。第１の第２サブコア１．２の第１の軸方向側は、好ましくは、第２の第２サブコア１．２の第１の軸方向側に対向して配置される。好ましくは、第２サブコア１．２は、第１の第２サブコア１．２の第１の軸方向側面が第２の第２サブコア１．２の軸方向側面と完全に重なるように前後に配置される。第１の第２サブコア１．２の軸側は第２の第２サブコア１．２の第１の軸側に重なり、及び／又は第２の第２サブコア１．２の第１の軸側は第１の第２サブコア１．２の第１の軸側に重なる。言い換えると、第２サブコア１．２は、長手方向７における隣接する第２サブコア１．２の延長部を表す。１つの実施例では、第２サブコア１．２は、第２サブコア１．２の軸方向側面間の距離で配置される（第２実施例を参照）。例示的な一実施例では、第２サブコア１．２の軸方向側面は接触して配置される（第１の実施例を参照）。距離は、各第１サブコア１．１の長さが、２つの隣り合う第２サブコア１．２及び／又は隣り合う第２サブコア１．２がその横方向側にそれぞれ重なるように、対向する軸方向側面にわたって広がるように長く延在する範囲で任意に大きく選択してもよい。
【００２３】
コア１は、そのように互いに前後に並んで配置された複数のサブコア１．１、１．２によって形成される。コア１は、長手方向７における２つの対向する端部を有し、これらは、長手方向７における最後の第１又は第２の下側コア１．１、１．２の対応する端部又は軸方向側面によって形成される。
【００２４】
コイル２は、コア１の周り、好ましくはコア支持体４の周りに巻回されている。コイル２の巻き方向は、長手方向７である。コイル２は、好ましくはコア１の周りに複数の巻きを有し、好ましくは２つより多く、好ましくは５つより多く、好ましくは１０より多く、好ましくは１５より多く、好ましくは  ２０ターンより多い巻き数である。コイル２は、好ましくは、コア１の第１端部からコア１の第２端部まで延在し、コア１の第１の端部の方向におけるコイル２の最後の巻回と方向におけるコイル２の最後の巻回との間の領域は、コア１の長手方向延長部の少なくとも７０％、好ましくは少なくとも７５％、好ましくは少なくとも８０％を構成する。コイル２は、好ましくは両方の第１サブコア１．１にわたって、好ましくは全第１サブコア１．１にわたって延在する。コイル２又はコイル２のコイルワイヤは、好ましくはコア支持体４に巻き付けられる。しかしながら、コイル２又はコイルワイヤ（コア支持体４なし）をコア１に直接巻き付けてもよい。コイル２は、好ましくは、コア１又はコア支持体４の周りに巻かれたコイルワイヤを有する。コイル線は絶縁されていることが好ましい。コイルワイヤは、好ましくは、コイル線の両端がコア１の一端でアンテナの端子に接続されるように巻かれる。示された実施例では、コイル２はコア１の第１端からコア１の第２端まで一方向に巻かれ、その後、コイルワイヤはコア１の第２端からコア１の第１端まで（コア１の周りに巻かれることなく）戻される。しかしながら、最初にコイルワイヤをコア１の第１端からコア１の第２端に（コア１の周りに巻かずに）導いてから、一方向を覆うべくコア１の第２端からコア１の第１端に巻くようにしてもよい。コイルワイヤを双方向に（交差巻き）巻いてもよい。
【００２５】
コア支持体４は、コア１を担持又は保持するように形成されている。これは、注入（ポッティング）の前にアンテナを組み立てるときに特に重要であり、アンテナが封入される前に全てのアンテナ部品が正しい位置に保持される。以下で説明するコア支持体４の特徴は、それゆえ特に明記しない限り、アンテナに樹脂注入し硬化する前の状態に関するものである。コア支持体４は、好ましくは、コイル２を担持するように形成される。コア支持体４は、好ましくは、コア１が保持される内部開口部を有する。コア支持体４は、好ましくは、コイル２が巻かれる外面を有する。コア支持体４は、好ましくは、サブコア１．１、１．２の位置を互いに（少なくとも一方向に）固定する。コア支持体４は、好ましくは、コア１又はサブコア１．１、１．２に対して垂直になるようにサブコア１．１、１．２を（少なくとも一方向、好ましくは全ての方向で、長手軸線の周りに半径方向３３０°、好ましくは３５０°、好ましくは長手方向７の周りに半径方向のあらゆる方向に）固定する。コイル２は、好ましくは、コイル巻線が２つの第２サブコア１．２を第１サブコア１．１に押し付け、その位置を固定するように、コア支持体４又はコア１（コア支持体４なし）に巻き付けられる。一実施例では、サブコア１．１、１．２は、コア１又はサブコア１．１、１．２の長手軸線の方向に組み立てるために挿入される。これにより、サブコア１．１、１．２が互いに対して安定して配置され、それでも互いに対して軸方向に移動可能となる。しかしながら、サブコア１．１、１．２を異なって、例えば積載方向に、コア支持体４に挿入してもよい。コア支持体４は、好ましくは、コア１の長さの少なくとも７０％、好ましくは少なくとも８０％、好ましくは少なくとも９０％にわたって延在する。これにより、サブコア１．１、１．２を安定した状態で保持できるようになる。これは、製造中の位置決めに有利であり、あとで封入するサブコア１．１、１．２が使用されても安定する。図示の実施例では、コア支持体４は、少なくとも１つ、好ましくは２つの平行な長手方向担持体４１（コア１の長手軸線の方向に延在する）を有する。コア支持体４は、好ましくは、コア１の長手方向７に対して半径方向に、特に第３の方向９に、サブコア１．１、１．２の移動を防止又は阻止する複数のクロス支持体４２を有する。コイル２の巻き付けは、好ましくは、横支持体４２の領域で中断されている。好ましくは、横支持体４３がそれぞれ２つの縦支持体４に結合する。説明のために、コア１の４つの側面（コア１の長手方向軸に垂直）が、上側（又は第１の側）、下側（又は第２の側）及び２つの側部（第３及び第４側面）として用いられるが、本発明をアンテナの特定の向きに制限するのではない。上側及び下側は、好ましくは対向し、及び／又は２つの側面は対向する。好ましくは、コア１の上側が当接する上部横支持体４２が存在する。好ましくは、コア１の下側が当接する下部横支持体４２が存在する。２つの縦支持体４１は、好ましくは、コア１の２つの横側面に配置され、コア１の２つの横側面が２つの縦支持体に当接する。コア支持体４は、好ましくは、コア支持体４が（コア１及びコイル２とともに）ハウジング３に取り付けら��たときにハウジング３の開口部を閉じるように形成された閉鎖領域４３を一端に有する。閉鎖領域４３は、コア支持体４の残りの部分と一体に形成してもよい。しかし、閉鎖領域４３及び残りのコア支持体４を別個の部品で構成してもよい（第１及び第２の実施例を参照）。閉鎖領域４３は、好ましくは、アンテナ、特にコイル２の電気接続のための接続部を有する。接続は、好ましくは、閉鎖領域４３を通って延在する２つの導電性ロッドを有する。各導電性ロッドの片側は、外側の閉鎖領域４３から突出しているため、完成したアンテナを電気的に接続可能である。各導電性ロッドの反対側は閉鎖領域４３の内側に突出し、コイル２又はコイルワイヤの端部はそれぞれ、これらの導電性ロッドの１つ（内側）に接続されている。コア支持体４は、好ましくは、ハウジング３への組み立て後にコア支持体４が所定の位置を有するように形成される。アンテナの片側では、これは、例えば、閉鎖領域４３をハウジング３の開口部に配置することにより解決される。コア支持体４は、好ましくは、コア支持体４がハウジング３に取り付けられたときにコア支持体４を所定の位置に保持する位置決め手段も有する。別の位置決め手段は、好ましくは、閉鎖領域４３とは反対側のコア支持体４の領域に配置される。位置決め手段は、好ましくは、ハウジング３の内壁を押圧し、したがって、ハウジング３内のコア支持体４を所定の位置にもたらす可撓性／弾性アームを有する。位置決め手段の跳ね返りにより、コア１が減衰し、衝撃から保護される。コア支持体４は、好ましくはプラスチック製である。
【００２６】
ハウジング３は、コア１をコイル２で囲むように形成されている。ハウジング３は、好ましくは、コア支持体４をコア１及びコイル２で囲むように形成されている。ハウジング３は、好ましくは、コイル２を備えたコア１、又はコア１及びコイル２を備えたコア支持体４をハウジング３に挿入するように形成された開口部を有する。開口部は、好ましくは、挿入された状態のコア支持体４によって閉じられる。しかしながら、別のカバーで開口部を閉じてもよい。
【００２７】
注入物質５は、ハウジング３とコイル２を備えたコア１との間、又はコア１とコイル２を備えたコア支持体４との間に配置されている。コイル２を備えたコア１、又はコア１とコイル２を備えたコア支持体４は、ハウジング３に挿入され、注入物質５でポッティングされる。注入物質５は、しばしばポッティングといわれる。注入物質５は、好ましくは、ハウジング３内の、好ましくは全ての空洞を充填し、その結果、コア１及びコイル２及びコイル２を有するコア１又はコア１を有するコア支持体４から熱が効果的に放散されて、コイル２は安定して格納される。好ましくは、（硬化状態で）６０ショアＡよりも柔らかい、好ましくは４０ショアＡ、好ましくは３５ショアＡ、好ましくは３０ショアＡ、好ましくは２７ショアＡ、好ましくは２５ショアＡのキャスティングコンパウンド５を使用する。注入物質５が６０ショアＡよりも柔らかいか、又は言及した他の好ましい値としてのものは、破壊に対する安定性を改善するだけでなく、驚くべきことにアンテナの電気値の安定性も改善することがわかった。キャスティングコンパウンド５（硬化状態）は、好ましくは１０ショアＡよりも硬く、好ましくは１５ショアＡよりも硬い。０から３５ショアＡの間の変形を有するキャスティングコンパウンド５が特に有利であることが分かった。
【００２８】
記載されたアンテナは、好ましくは、車両を開ける及び／又は始動するためのキーデータの送信のために車両で使用するために形成される。このアンテナは、好ましくは車両に搭載される。
【００２９】
アンテナを製造するために、サブコア１．１及び１．２は、上述のように最初にコア支持体４に配置される。コイル２はコア支持体４に巻回される。コイルワイヤはアンテナコネクタに接続される。コイル２を付けたコア１、又はコア１とコイル２とを備えたコア支持体４がハウジング３に挿入される。コイル２を備えたコア１、又はコア１とコイル２とを備えたコア支持体４は、ハウジング３内に注入物質５によって注入される。その後、注入物質５が硬化されて、アンテナができあがる。
【図１】
2020178342.tif 000003
【図２】
2020178342.tif 000004
【図３】
2020178342.tif 000005
【図４】
2020178342.tif 000006
【図５】
2020178342.tif 000007
【図６】
2020178342.tif 000008
【図７】
2020178342.tif 000009
【図８】
2020178342.tif 000010
【図９】
2020178342.tif 000011
【図１０】
2020178342.tif 000012
【図１１】
2020178342.tif 000013
【図１２】
2020178342.tif 000014
【図１３】
2020178342.tif 000015
【外国語明細書】
2020178342000001.pdf